Podtech/llm-jp-corpus-v4-ja_patent huggingface dataset:
【手続補正書】
【提出日】平成22年1月21日(2010.1.21)
【手続補正１】
【補正対象書類名】特許請求の範囲
【補正対象項目名】全文
【補正方法】変更
【補正の内容】
【特許請求の範囲】
【請求項１】
経糸と織り合わせられるべき緯糸を供給するために、経糸のベッドを横切って前方および後方に移動される緯糸キャリアを用いて、チューブ状物を織る方法であって、
供給される緯糸におけるたるみを検出し、たるんだ緯糸をキャリア中へ引き戻し、そして引き戻したたるんだ緯糸を後に再供給するためにキャリア上に貯蔵する、チューブ状物を織る方法。
【請求項２】
キャリアによって供給される緯糸は、チューブ状物が織られている経糸ベッドの領域においてのみ経糸と織り合わされ、たるんだ緯糸は、キャリアが、織っているチューブ状物を越えて、緯糸が経糸と織り合わされていない経糸ベッドの領域に移動するとき作られる余分な糸を含む、請求項１記載の方法。
【請求項３】
たるみは、キャリアによって供給される緯糸のテンションを監視することによって検出され、緯糸のテンションが所定レベル以下に低下したときたるんだ緯糸を引き戻す、請求項１または２記載の方法。
【請求項４】
キャリアは、緯糸を保持するためのボビンおよび引き戻した緯糸を貯蔵するための一時貯蔵手段を含み、キャリアによって供給される緯糸は一時貯蔵手段から優先的に引き出される、請求項１ないし３のいずれかに記載の方法。
【請求項５】
キャリアによって供給される緯糸は、一時貯蔵手段によって貯蔵している緯糸の量が所定レベル以下に低下したかもしくはゼロになったときにのみ、ボビンから引き出される、請求項４記載の方法。
【請求項６】
織るべきチューブ状物は経糸ベッドを横切って位置決めされる複数のチューブを含み、織るべき前記チューブの数と少なくとも等しい数の緯糸キャリアを用い、緯糸キャリアは経糸ベッドを横切って順に移動され、各々が前記チューブの１つだけを織る、請求項１ないし５のいずれかに記載の方法。
【請求項７】
各緯糸キャリアは、経糸ベッドの全幅に亘って移動されるが、それの緯糸を、当該緯糸キャリアが織っているチューブが位置決めされた経糸ベッドのその領域においてのみ経糸と織り合わせる、請求項６記載の方法。
【手続補正書】
【提出日】平成22年1月12日(2010.1.12)
【手続補正１】
【補正対象書類名】特許請求の範囲
【補正対象項目名】全文
【補正方法】変更
【補正の内容】
【特許請求の範囲】
【請求項１】
共通の入力シャフト（２）にそれぞれ連結された駆動ディスク（７、１３）と、別個の出力シャフト（４、６）にそれぞれ連結された出力ディスク（８、１４）と、両ディスク（７、８；１３、１４）の間に摩擦接触させて配置された複数の中間プーリ（９、１６）と、を備えるセミトロイダル型トランスミッションとしてそれぞれ形成された２つの部分トランスミッション（３、５）を有する無段変速機であって、
前記中間プーリ（９、１６）は、所望の変速比へと変化させるよう傾転させるためにそれぞれに割り当てられた傾斜軸（１１）の周りの力調整エレメント（１２、１７）によって付勢可能であり、
目標値のプリセットに従って前記部分トランスミッション（３、５）を制御するように、前記部分トランスミッション（３、５）に作用するコントロールユニット（２３）が設けられており、
前記目標値のプリセットが、前記部分トランスミッションごとに独立した目標値のプリセットを含み、
前記コントロールユニット（２３）が、一方の部分トランスミッション（３）においてプリセット可能な変速比目標値に応じて変速比を制御できるように、かつ他方の部分トランスミッション（５）においてプリセット可能なトルク目標値に応じて伝達されたトルクを制御できるように設計されて配置されることを特徴とする無段変速機。
【請求項２】
前記コントロールユニット（２３）が、少なくとも１つのポンプ（４１）と、圧力コントローラ（４０）と、変速比制御式部分トランスミッション（３）のための第１分岐（２４）と、トルク制御式部分トランスミッション（５）のための第２分岐（２５）と、を備える油圧装置として設計されており、
両分岐（２４、２５）の各々が、割り当てられた前記中間プーリ（９、１６）に作用するリングライン（２６、２７；３３、３４）を介して、それぞれ割り当てられた力調整エレメント（１２、１７）に伝達可能である２つの動作圧の間の圧力差を制御する少なくとも１つの制御弁（２８；３５、３６）を含むことを特徴とする、請求項１記載の無段変速機。
【請求項３】
前記コントロールユニット（２３）の第１分岐（２４）が、変速比目標値を送信する目標値送信器（３０）と、傾きを送信する実効値送信器（２９）と共に、前記中間プーリ（９）のうち少なくとも１つに動作結合される制御弁（２８）を備えることを特徴とする、請求項２記載の無段変速機。
【請求項４】
前記制御弁（２８）が、プリセットスリーブを有するサーボ弁として設計されていることを特徴とする、請求項２記載の無段変速機。
【請求項５】
前記コントロールユニット（２３）の第２分岐（２５）が両動作圧それぞれのために別個の制御弁（３５、３６）を備え、前記制御弁はトルク目標値の目標値送信器と動作結合し、所望の圧力実効値のフィードバック機能を備えていることを特徴とする、請求項２〜４のいずれか１項記載の無段変速機。
【請求項６】
共通の入力シャフトにそれぞれ連結されると共にトロイダルリング内面を備える駆動ディスクと、別個の出力シャフトにそれぞれ連結されると共にトロイダルリング内面を備える出力ディスクと、両ディスクの間でトロイダルリング面上に摩擦接触させて配置されると共にそれぞれ傾斜軸を中心として旋回可能な複数の中間プーリと、を備えるセミトロイダルトランスミッションとして形成された２つの部分トランスミッションを有する無段変速機において、２本の出力シャフトにトルクを分配する方法であって、
前記中間プーリ（９、１６）は、所望の変速比へと変化させるよう傾転させるためにそれぞれに割り当てられた傾斜軸（１１）の周りの力調整エレメント（１２、１７）によって付勢可能であり、この付勢により目標値のプリセットに従って前記部分トランスミッション（３、５）を制御するように前記部分トランスミッション（３、５）に作用するコントロールユニット（２３）を介して前記力調整エレメントを起動制御し、
前記目標値のプリセットが前記部分トランスミッションごとに独立した目標値のプリセットを含むことを特徴とする方法。
【請求項７】
変速比目標値が、一方の部分トランスミッション（３）についてプリセットされると共に、前記割り当てられた中間プーリ（９）に作用する力調整エレメント（１２）の対応する起動制御を介して制御され、
トルク目標値が、他方の部分トランスミッション（５）についてプリセットされると共に、前記割り当てられた中間プーリ（１６）に作用する力調整エレメント（１７）の対応する起動制御を介して制御されることを特徴とする、請求項６記載の方法。
【請求項８】
前記トルク目標値を圧力差の形式でプリセットすることを特徴とする、請求項７記載の方法。
【手続補正２】
【補正対象書類名】明細書
【補正対象項目名】０００９
【補正方法】変更
【補正の内容】
【０００９】
この課題は、本発明通り、請求項１及び請求項６のそれぞれ前段に記載の特徴と共に、目標値のプリセットが部分トランスミッションごとの独立した目標値のプリセットを含むことによって解決される。こうして、様々な走行状況により柔軟に反応することができる。
【手続補正３】
【補正対象書類名】明細書
【補正対象項目名】００１０
【補正方法】変更
【補正の内容】
【００１０】
本発明では、コントロールユニットが、一方の部分トランスミッションにおいて変速比をプリセット可能な変速比目標値に応じて制御できるように、かつ、他方の部分トランスミッションにおいて伝達されたトルクをプリセット可能なトルク目標値に応じて制御できるように形成され、配置されている。
【手続補正書】
【提出日】平成21年12月21日(2009.12.21)
【手続補正１】
【補正対象書類名】特許請求の範囲
【補正対象項目名】全文
【補正方法】変更
【補正の内容】
【特許請求の範囲】
【請求項１】
肥満を治療するための胃内器具において、
哺乳動物の胃の内腔の中に留置される袋と、
前記袋の中に導入できるほど十分に小さく、前記袋の中に配置される、複数の胃内部材であって、前記袋の中に前記哺乳動物の幽門を通過するのを防ぐのに十分な数だけ配置されている、複数の胃内部材と、を備えている胃内器具。
【請求項２】
前記複数の胃内部材は、第１の形態から第２の形態に拡張することができる、請求項１に記載の胃内器具。
【請求項３】
前記器具は、更に、前記胃の内腔に留置される前記袋に送達し易くするため一緒に接続される複数の胃内部材を備えている、請求項１又は２に記載の胃内器具。
【請求項４】
前記複数の胃内部材は、各胃内部材の開口部を通る保持要素によって一緒に接続され、更に、第１の形態で一緒に接続される、請求項３に記載の胃内器具。
【請求項５】
前記保持要素は、前記第１の形態において一緒に接続される第１端部と第２端部を有するナイロン糸を備えている、請求項４に記載の胃内器具。
【請求項６】
前記複数の胃内部材は、送達管を通して装填され、ここで前記送達管は、前記複数の胃内部材を前記胃の内腔に留置された前記袋に送達し易くする、上記請求項１乃至５の何れかに記載の胃内部材。
【請求項７】
近位端と、遠位端と、前記複数の胃内部材を受け入れるように構成されているルーメンとを備えたオーバーチューブを更に備えている、上記請求項１乃至６の何れかに記載の胃内器具。
【請求項８】
前記袋は、胃液が前記袋の中に入り易いようにするため、前記袋の表面に沿って複数の開口部を備えている、上記請求項１乃至７の何れかに記載の胃内器具。
【請求項９】
前記複数の胃内部材を前記袋の中に閉じ込めるため、拘束要素が前記袋に係合されている、上記請求項１乃至８の何れかに記載の胃内器具。
【請求項１０】
前記複数の胃内部材は、第１の形態から第２の形態に拡張できるように分解可能な外側包装を備えている、上記請求項１乃至９の何れかに記載の胃内器具。
【請求項１１】
前記分解可能な外側包装は、セルロース、ゼラチン、及びグリセリンから成るグループから選択される材料を含んでいる、請求項１０に記載の胃内部材。
【請求項１２】
前記複数の胃内部材は、束を形成するナイロン糸を含んでいる、請求項１から９の何れかに記載の胃内器具。
【請求項１３】
前記複数の胃内部材は、プラスチック、ナイロン、ポリエステル、ポリウレタン、ポリエチレン、ポリアミド、シリコン、及び食品が一般に粘着することのない生体適合性ポリマーから成るグループから選択される１つ又はそれ以上の要素を含んでいる、請求項１から９の何れかに記載の胃内器具。
【請求項１４】
前記複数の胃内部材は、高密度ポリエチレン、低密度ポリエチレン、フッ化エチレンプロピレン、及びエチレンビニルアセテートコポリマーから成るグループから選択される１つ又はそれ以上の要素を含んでいる、請求項１から９及び１２、１３の何れかに記載の胃内器具。
【請求項１５】
肥満を治療するための胃内器具において、
袋と、
前記袋の中に１つ又は複数導入できるほど十分に小さい複数の胃内部材であって、前記複数の胃内部材が前記袋の中に配置されているときは、前記袋は、前記胃内器具が哺乳動物の幽門を通過するのを防ぐように構成されている、複数の胃内部材と、
ルーメンと、近位端と、遠位端とを有する送達管であって、前記複数の胃内部材は、前記送達管の前記近位端と前記遠位端の間に装填される、送達管と、
近位端と、遠位端と、前記複数の胃内部材が通過できるように構成されているルーメンとを備えているオーバーチューブと、を備えている胃内器具。
【請求項１６】
前記複数の胃内部材は、第１の形態から第２の形態に拡張することができる、請求項１５に記載の胃内器具。
【請求項１７】
前記胃内器具は、前記胃の内腔に留置される前記袋に送達し易くするため一緒に接続されている複数の胃内部材を備えている、請求項１５又は１６に記載の胃内器具。
【請求項１８】
前記複数の胃内部材は、各胃内部材の開口部を通る保持要素によって一緒に接続されており、更に、前記第１の形態で一緒に接続されている、請求項１７に記載の胃内器具。
【請求項１９】
前記保持要素は、前記第１の形態で一緒に接続されている第１端部と第２端部を有するナイロン糸を備えている、請求項１８に記載の胃内器具。
【請求項２０】
前記袋は、胃液が前記胃の内腔に留置される前記袋の中に入り易いようにするため、前記表面に沿って複数の開口部を備えている、請求項１５から１９の何れかに記載の胃内器具。
【請求項２１】
前記胃内部材を前記袋の中に閉じ込めるため、拘束要素が前記袋に係合されている、請求項１５から２０の何れかに記載の胃内器具。
【請求項２２】
前記複数の胃内部材は、前記第１の形態から前記第２の形態に拡張できるように分解可能な外側包装を備えている、請求項１５から２０の何れかに記載の胃内器具。
【請求項２３】
前記分解可能な外側包装は、セルロース、ゼラチン、及びグリセリンから成るグループから選択される材料を含んでいる、請求項２２に記載の胃内部材。
【請求項２４】
前記複数の胃内部材は、プラスチック、ナイロン、ポリエステル、ポリウレタン、ポリエチレン、ポリアミド、シリコン、及び食品が一般に粘着することのない生体適合性ポリマーから成るグループから選択される１つ又はそれ以上の要素を含んでいる、請求項１５から２１の何れかに記載の胃内器具。
【手続補正書】
【提出日】平成22年1月5日(2010.1.5)
【手続補正１】
【補正対象書類名】特許請求の範囲
【補正対象項目名】全文
【補正方法】変更
【補正の内容】
【特許請求の範囲】
【請求項１】
基部及び剛毛を備え、成形用組成物を更に含み、前記成形用組成物が超高分子量ポリエチレンの分散相を包含し、更に研磨粒子を含む、一体成形ブラシ。
【請求項２】
前記成形用組成物の１重量％から２０重量％が超高分子量ポリエチレンを含む、請求項１に記載の一体成形ブラシ。
【手続補正書】
【提出日】平成22年1月7日(2010.1.7)
【手続補正１】
【補正対象書類名】特許請求の範囲
【補正対象項目名】全文
【補正方法】変更
【補正の内容】
【特許請求の範囲】
【請求項１】
パッケージ化抗微生物物品の製造方法であり、
硫酸銀を含む組成物を調製する工程と、
前記硫酸銀組成物を基材上にコーティングする工程と、
前記コーティングされた基材を乾燥し、抗微生物物品を形成する工程と、
揮発性有機含有量が１平方メートル当たり１００ｍｇ以下である梱包材料内に、前記抗微生物物品を設置する工程と、
そこに前記抗微生物物品を入れた状態で前記梱包材料を密閉する工程と、を含むパッケージ化抗微生物物品の製造方法。
【請求項２】
パッケージ化抗微生物物品であり、
硫酸銀組成物でコーティングされた基材を含む抗微生物物品と、
前記抗微生物物品を中に密閉している梱包材と、を含み、
前記梱包材が、揮発性有機含有量が１平方メートル当たり１００ｍｇ以下である材料を含むパッケージ化抗微生物物品。
【請求項３】
抗微生物物品の少なくとも一部を増白する方法であり、
少なくとも一部が白以外に着色したパッケージ化抗微生物物品を提供する工程と、前記物品が、ゼロ原子価状態の銀を少なくとも一部含む銀塩組成物でコーティングされた基材を含み、前記抗微生物物品が、揮発性有機含有量が１平方メートル当たり１００ｍｇ超である材料を含む梱包材の中に密閉されており、
前記パッケージ化抗微生物物品を照射し、前記抗微生物物品の少なくとも一部を増白する工程と、を含む抗微生物物品の少なくとも一部を増白する方法。
【手続補正書】
【提出日】平成22年1月15日(2010.1.15)
【手続補正１】
【補正対象書類名】特許請求の範囲
【補正対象項目名】全文
【補正方法】変更
【補正の内容】
【特許請求の範囲】
【請求項１】
体内処置中、先に導入されたワイヤガイドに連結する連結ワイヤガイドであって、
遠位端部を有するワイヤガイド軸線を画定している本体と、
前記本体の前記遠位端部に接合された先端部分であって、使用時において前記先に導入されたワイヤガイドを受け入れるようになっている連結経路を画定している連結ヘッドを有する先端部分と、を備え、
前記連結ヘッドは、前記先端部分が、前記連結ワイヤガイドを単独使用するようにされた第１の位置と、前記先端部分が、先に導入されたワイヤガイドと連結するようにされた第２の位置と、を含む少なくとも２つの位置間で動作可能である、連結ワイヤガイド。
【請求項２】
前記連結経路の軸線が前記本体の中心軸線に対して傾いている第１の位置と、前記連結経路の軸線が前記中心軸線と略平行であり前記連結ヘッドが前記中心軸線から半径方向に離れている第２の位置と、を含む少なくとも２つの位置間で前記連結ヘッドが動作可能である、請求項１に記載の連結ワイヤガイド。
【請求項３】
前記連結ヘッドは前記第１の位置に偏倚されている、請求項１又は２に記載の連結ワイヤガイド。
【請求項４】
前記先端部分は一体の材料から構成されている、請求項１乃至３のいずれかに記載の連結ワイヤガイド。
【請求項５】
前記先端部分は、前記連結ヘッドに接続され、前記連結ヘッドが前記第１および第２の位置間で移動可能なようにする可撓性のネック部を有する、請求項１乃至４のいずれかに記載の連結ワイヤガイド。
【請求項６】
前記先端部分は、前記本体に接合された接合部をさらに備えていて、前記連結ヘッドは、前記第１の位置において、前記接合部の最大直径により画定される筒形の包絡面の内側に概ね収まっている、請求項１乃至５のいずれかに記載の連結ワイヤガイド。
【請求項７】
前記連結ヘッドは、弾性変形によって前記第１の位置から前記第２の位置へ枢動するようになっており、該弾性は、先に導入されたワイヤガイドがなくなったときに前記連結ヘッドを前記第１の位置に戻すのに十分であり、前記連結ヘッドの前記第２の位置において、前記連結経路に受け入れられた先に導入されたワイヤガイドの軌道を実質的に変形させるほどではない、請求項１乃至６のいずれかに記載の連結ワイヤガイド。
【手続補正書】
【提出日】平成22年1月22日(2010.1.22)
【手続補正１】
【補正対象書類名】特許請求の範囲
【補正対象項目名】請求項２４
【補正方法】変更
【補正の内容】
【請求項２４】
バソプレシン経路関連遺伝子配列に改善応答遺伝子型を有する被検体の炎症性状態を処置（治療）するための薬物ないし薬剤としてのバソプレシン受容体アゴニスト。
【手続補正２】
【補正対象書類名】特許請求の範囲
【補正対象項目名】請求項２５
【補正方法】変更
【補正の内容】
【請求項２５】
バソプレシン経路関連遺伝子配列に逆応答遺伝子型を有しない被検体の炎症性状態を処置（治療）するための薬物ないし薬剤としてのバソプレシン受容体アゴニスト。
【手続補正３】
【補正対象書類名】明細書
【補正対象項目名】００２２
【補正方法】変更
【補正の内容】
【００２２】
本発明の更なる一視点により、当該処置（治療）を必要とする被検体の炎症性状態を処置（治療）する方法が提供される。この方法は、被検体にバソプレシン受容体アゴニストを投与することを含み、該被検体は、バソプレシン経路関連遺伝子配列に改善応答遺伝子型を有する。即ち、好ましい実施の形態として、バソプレシン経路関連遺伝子配列に改善応答遺伝子型を有する被検体の炎症性状態を処置（治療）するための薬物ないし薬剤としてのバソプレシン受容体アゴニストが提供される。
【手続補正４】
【補正対象書類名】明細書
【補正対象項目名】００３０
【補正方法】変更
【補正の内容】
【００３０】
本発明の更なる一視点により、被検体の炎症性状態を処置（治療）する方法が提供される。この方法は、バソプレシン経路関連遺伝子配列に逆応答遺伝子型を有する被検体を同定すること；及びバソプレシン受容体アゴニストを該被検体に選択的に投与しないことを含む。即ち、好ましい実施の形態として、バソプレシン経路関連遺伝子配列に逆応答遺伝子型を有しない被検体の炎症性状態を処置（治療）するための薬物ないし薬剤としてのバソプレシン受容体アゴニストが提供される。
【手続補正書】
【提出日】平成22年1月6日(2010.1.6)
【手続補正１】
【補正対象書類名】特許請求の範囲
【補正対象項目名】全文
【補正方法】変更
【補正の内容】
【特許請求の範囲】
【請求項１】
式IのFGF2結合性ペプチド、その前駆体または医薬上許容される塩：
R1-Ala-X1-Pro-X2-Ala-R2
（Ｉ）
［式中、
X1は、ArgおよびLysから選択されるアミノ酸であり；
X2は、CysおよびThrから選択されるアミノ酸であり；
R1は、存在しないか、または配列番号1および配列番号3から選択されるアミノ酸配列からなり；
R2は、存在しないか、または配列番号2および配列番号4から選択されるアミノ酸配列からなり、
ただし、
R1が存在しない場合は、R2も存在せず；R1が配列番号1のアミノ酸配列である場合は、R2は配列番号2のアミノ酸配列であり；R1が配列番号3のアミノ酸配列である場合は、R2は配列番号2および配列番号4から選択されるアミノ酸配列である］。
【請求項２】
X1がArgである、請求項1に記載のペプチド。
【請求項３】
X2がCysである、請求項1または2に記載のペプチド。
【請求項４】
配列番号5、配列番号6、配列番号7および配列番号10から選択されるアミノ酸配列からなる、請求項1〜3のいずれかに記載のペプチド。
【請求項５】
請求項1〜4のいずれかに記載のペプチドを含む、融合キメラペプチド。
【請求項６】
融合アミノ酸配列が、以下の群から選択されるヒトPTX3以外のタンパク質配列に属する、請求項5に記載の融合キメラペプチド：膜結合性タンパク質、膜結合性タンパク質の細胞外領域、免疫グロブリンの定常領域、多量体化ドメイン、細胞外タンパク質、シグナルペプチド含有タンパク質、移行シグナル含有タンパク質。
【請求項７】
請求項1〜6のいずれかに記載のペプチドを含む、コンジュゲートキメラペプチド。
【請求項８】
請求項1〜7のいずれかに記載のペプチドをコードする核酸分子、またはその核酸分子とハイブリダイズする核酸分子、またはその縮重配列を含む核酸分子。
【請求項９】
請求項8に記載の核酸分子を含む発現ベクター。
【請求項１０】
請求項9に記載の発現ベクターにより形質転換された宿主細胞。
【請求項１１】
前記ペプチドが分泌されるまたは細胞の膜表面上に発現される、請求項10に記載の宿主細胞。
【請求項１２】
請求項1から7のいずれかに記載のペプチドを含有する医薬組成物。
【請求項１３】
血管新生異常により引き起こされる疾患に対する抗疾患薬として用いるための、請求項12に記載の医薬組成物。
【請求項１４】
血管新生異常が増殖因子FGF2の活性変化により誘発される、請求項13に記載の医薬組成物。
【請求項１５】
疾患が、関節炎疾患、腫瘍転移、糖尿病性網膜症、乾癬、慢性の炎症、動脈硬化症および腫瘍からなる群から選択される、請求項13または14に記載の医薬組成物。
【請求項１６】
腫瘍が、肉腫、癌腫、カルチノイド、骨腫瘍および神経内分泌腫瘍からなる群から選択される、請求項15に記載の医薬組成物。
【請求項１７】
線維芽細胞または平滑筋細胞のFGF2依存性の無制御増殖、線維芽細胞の過剰反応に関係する瘢痕形成および血管形成後の再狭窄と関連する疾患に対する抗疾患薬として用いるための、請求項12に記載の医薬組成物。
【請求項１８】
さらに希釈剤および／または賦形剤および／またはアジュバントを含む、請求項12〜17のいずれかに記載の医薬組成物。
【手続補正書】
【提出日】平成22年1月18日(2010.1.18)
【手続補正１】
【補正対象書類名】特許請求の範囲
【補正対象項目名】全文
【補正方法】変更
【補正の内容】
【特許請求の範囲】
【請求項１】
（ａ）細胞と細胞外マトリックスとを含む組織試料を、液体培地中で細胞外マトリックスから間充織幹細胞（ＭＳＣ）を遊離させるのに十分な量のコラゲナーゼで処理する工程、および
（ｂ）間充織幹細胞（ＭＳＣ）を含む培地のフラクションを分離する工程
を含む、間充織幹細胞（ＭＳＣ）を分離し、富化する方法。
【請求項２】
前記組織試料が骨髄から得られる、請求項１に記載の方法。
【請求項３】
前記試料が、胎盤、胸骨または大腿骨からのパンチ生検である、請求項２に記載の方法。
【請求項４】
前記組織試料が浮遊脂肪フラクション（ＦＦＦ）を含む、請求項１から３のいずれか１つに記載の方法。
【請求項５】
前記組織試料が、骨髄穿刺液、滑膜および脂肪体を含む群より選択された組織から得られる、請求項１に記載の方法。
【請求項６】
前記試料を、０．２５％コラゲナーゼを含む緩衝液中に入れる、請求項１から５のいずれか１つに記載の方法。
【請求項７】
前記試料をコラゲナーゼで３〜４時間の間処理する、請求項１から６のいずれか１つに記載の方法。
【請求項８】
ＭＳＣを含む前記フラクションが、単一細胞を含むフラクションを分離するために、固体を除去し、そして、液体培地を遠心分離することによって得られる、請求項１から７のいずれか１つに記載の方法。
【請求項９】
工程（ａ）が２回の別々のコラゲナーゼ消化を含む、請求項１から８のいずれか１つに記載の方法。
【請求項１０】
工程（ａ）がヒアルロニダーゼ消化をさらに含む、請求項１から９のいずれか１つに記載の方法。
【請求項１１】
前記組織試料が骨であり、前記間充織幹細胞（ＭＳＣ）が骨修復用である、請求項９または１０に記載の方法。
【請求項１２】
工程（ｂ）が、さらなる富化工程をさらに含む、請求項１から１１のいずれか１つに記載の方法。
【請求項１３】
前記さらなる富化工程が磁気ビーズを使用する、請求項１２に記載の方法。
【請求項１４】
前記さらなる富化工程が、螢光励起細胞選別機（ＦＡＣＳ）による選別を含む、請求項１２に記載の方法。
【請求項１５】
前記さらなる富化工程が、表１で特定されたマーカーのうちの１つによって特徴づけられる表現型を有する間充織幹細胞（ＭＳＣ）を分離することに基づく、請求項１２から１４のいずれか１つに記載の方法。
【請求項１６】
前記表現型が、ＣＤ４５ｌｏｗＬＮＧＦＲ＋、ＣＤ４５ｌｏｗＤ７−ＦＩＢ＋ＬＮＧＦＲ＋またはＣＤ４５ｌｏｗＤ７−ＦＩＢ＋である、請求項１５に記載の方法。
【請求項１７】
請求項１〜１６のいずれか１つによって特定された方法に従って富化された分離間充織幹細胞（ＭＳＣ）。
【請求項１８】
薬剤としての使用のための、請求項１７に記載の分離間充織幹細胞（ＭＳＣ）。
【請求項１９】
細胞療法における使用のための、請求項１８に記載の薬剤。
【請求項２０】
前記間充織幹細胞（ＭＳＣ）が、遺伝子治療における使用のために遺伝的に操作されている、請求項１８または１９に記載の薬剤。
【請求項２１】
コラゲナーゼを含む間充織幹細胞（ＭＳＣ）を富化するためのキット。
【請求項２２】
（ａ）間充織幹細胞（ＭＳＣ）と細胞外マトリックスとを含む組織試料を被験者から得る工程、
（ｂ）前記組織試料を、液体培地中で細胞外マトリックスから間充織幹細胞（ＭＳＣ）を遊離させるのに十分な量のコラゲナーゼで処理する工程、
（ｃ）間充織幹細胞（ＭＳＣ）を含む培地のフラクションを分離する工程、および
（ｄ）細胞療法から利益を得ることを可能にする身体部位で前記フラクションを前記被験者に再導入する工程
を含む、治療を必要とする被験者に細胞療法を実施する方法。
【請求項２３】
（ａ）間充織幹細胞（ＭＳＣ）と細胞外マトリックスとを含む組織試料を死体またはドナーから得る工程、
（ｂ）前記組織試料を、液体培地中で細胞外マトリックスから間充織幹細胞（ＭＳＣ）を遊離させるのに十分な量のコラゲナーゼで処理する工程、
（ｃ）間充織幹細胞（ＭＳＣ）を含む培地のフラクションを分離する工程、および
（ｄ）細胞療法から利益を得ることを可能にする身体部位で前記フラクションを前記被験者に導入する工程
を含む、治療を必要とする被験者に細胞療法を実施する方法。
【手続補正書】
【提出日】平成22年1月6日(2010.1.6)
【手続補正１】
【補正対象書類名】特許請求の範囲
【補正対象項目名】全文
【補正方法】変更
【補正の内容】
【特許請求の範囲】
【請求項１】
主流タバコ煙中の一酸化炭素及び酸化窒素の少なくとも一方を低減することができる封入触媒粒子を含むシガレットの構成要素であって、
触媒粒子が、少なくとも部分的に揮発性封入材料で被覆され、
構成要素が、タバコ切断充填物、シガレット紙、及びシガレットフィルタから成る群から選択される、
ことを特徴とする構成要素。
【請求項２】
（ａ）前記触媒粒子は、前記揮発性封入材料で完全に被覆され、
（ｂ）前記触媒粒子は、Ｍｇ、Ａ１、Ｓｉ、Ｔｉ、Ｖ、Ｃｒ、Ｍｎ、Ｆｅ、Ｃｏ、Ｎｉ、Ｃｕ、Ｚｎ、Ｇｅ、Ｙ、Ｚｒ、Ｎｂ、Ｍｏ、Ｒｕ、Ａｇ、Ｓｎ、Ｃｅ、Ｐｒ、Ｌａ、Ｈｆ、Ｔａ、Ｗ、Ｒｅ、Ｏｓ、Ｉｒ、及びＡｕから成る群から選択された少なくとも１つの元素の元素金属、合金、酸化物、及びオキシ水酸化物の少なくとも１つを含み、
（ｃ）前記触媒粒子は、マンガン、鉄、銅、又はセリウムの酸化物及びオキシ水酸化物の少なくとも一方を含み、
（ｄ）前記触媒粒子は、ナノスケール粒子を含み、又は
（ｅ）前記触媒粒子は、約１００ｎｍよりも小さいか又は約５０ｎｍよりも小さな平均粒径を有する、
ことを特徴とする請求項１に記載の構成要素。
【請求項３】
前記揮発性封入材料は、
（ａ）ワックス、水溶性ポリマー、又は水不溶性ポリマー、
（ｂ）蜜蝋、ココナツ蝋、カンデリラ蝋、カルナウバ蝋、モンタン蝋、オーリクリー蝋、パラフィン蝋、米蝋、及びそれらの混合物から成る群から選択されたワックス、
（ｃ）ポリビニルアルコール、ポリビニルピロリドン、酸化ポリエチレン、水溶性ポリアミド、水溶性ポリエステル、水溶性セルロース、アクリル酸ポリマー、でんぷん、デキストリン、ゴム、ゼラチン、ペクチン、アルギン酸塩、アラビアゴム、及びそれらの混合物から成る群から選択された水溶性ポリマー、
（ｄ）ポリエチレン、ポリプロピレン、ポリアクリル酸塩、ポリメタクリル酸塩、ポリメチルメタクリル酸塩、塩化ポリビニル、塩化ポリビニリデン、多糖類、及びそれらの混合物から成る群から選択された水不溶性ポリマー、
（ｅ）前記触媒粒子と接触した第１の層及び該第１の層の上に形成された第２の層、及び
（ｆ）香味含有化合物を含む第１の層及び該第１の層の上に形成された第２の層、
のうちの少なくとも１つを含む、
ことを特徴とする請求項１に記載の構成要素。
【請求項４】
前記揮発性封入材料は、香味含有化合物を含むことを特徴とする請求項１に記載の構成要素。
【請求項５】
タバコロッド、シガレット紙、及び任意的なフィルタを含むシガレットであって、
タバコロッド、シガレット紙、及びフィルタのうちの少なくとも１つが、主流タバコ煙中の一酸化炭素及び酸化窒素の少なくとも一方を低減することができる封入触媒粒子を含み、
前記触媒粒子は、少なくとも部分的に揮発性封入材料で被覆されている、
ことを特徴とするシガレット。
【請求項６】
前記シガレット紙は、
（ａ）第１の層及び該第１の層の周りに形成された第２の層を有し、かつ前記封入触媒粒子が該第１の層に組み込まれた包装紙、及び
（ｂ）少なくとも１つの表面上に前記封入触媒粒子が被覆され、印刷され、又は被覆かつ印刷された包装紙、
のうちの少なくとも一方を含む、
ことを特徴とする請求項５に記載のシガレット。
【請求項７】
異なる封入触媒粒子の混合物を含むことを特徴とする請求項５に記載のシガレット。
【請求項８】
シガレットを製造する方法であって、
（ｉ）封入触媒粒子をタバコ切断充填物、シガレットフィルタ、及びシガレット包装紙のうちの少なくとも１つの中に、その表面上に、又はその中にかつその表面上に組み込む段階、
（ｉｉ）前記タバコ切断充填物をシガレット製造機に供給してタバコ列を形成する段階、
（ｉｉｉ）前記タバコ列の周りに前記シガレット包装紙を配置してシガレットのタバコロッドを形成する段階、及び
（ｉｖ）任意的に、先端紙を使用して前記シガレットフィルタを前記タバコ列に取り付ける段階、
を含むことを特徴とする方法。
【請求項９】
前記組み込む段階は、噴霧、散布、又は浸漬を含むことを特徴とする請求項８に記載の方法。
【請求項１０】
前記封入触媒粒子は、該封入触媒粒子を濡れたベースウェブ、中間ウェブ、又は完成ウェブ上に噴霧又は被覆することによってシガレット紙に組み込まれることを特徴とする請求項８に記載の方法。
【手続補正書】
【提出日】平成21年12月1日(2009.12.1)
【手続補正１】
【補正対象書類名】特許請求の範囲
【補正対象項目名】全文
【補正方法】変更
【補正の内容】
【特許請求の範囲】
【請求項１】
肺癌を分類するための方法であって、肺癌を患う個体から採取した肺癌細胞サンプルを提供し、そして肺癌細胞の染色体領域19p13.3-p13.1および9q32-34.3に存在するアレル不均衡（ＡＩ）を検出することを包含し、該領域の少なくとも１種に存在するアレル不均衡は、肺癌細胞の悪性度がアスベスト被曝と関連しうることの指標となることを特徴とする方法。
【請求項２】
肺癌細胞の以下に示す他の染色体領域：
a)  2p21-p16.3、
b)  16p13.3、
c)  22q12.3-q13.1 および
d)  5q35.3
の少なくとも１種に存在するアレル不均衡を更に検出することを包含し、該領域の少なくとも１種に存在するアレル不均衡は、肺癌細胞の悪性度がアスベスト被曝と関連しうることの更なる指標となることを特徴とする、請求項１に記載の方法。
【請求項３】
染色体領域が9q33.1であることを特徴とする、請求項１に記載の方法。
【請求項４】
染色体領域19p13.3-p13.1内のアレル不均衡を、以下のマイクロサテライトマーカー：
19s814、19S883、19S878、19S424、19S894、19S216、19S177、19S1034、
19S873、19S884、19S916、19S583、19S535、19S906、19S221、19S840、
19S917、19S895 および 19S568
からなる群より選ばれる少なくとも１種を用いて検出することを特徴とする、請求項１に記載の方法。
【請求項５】
アレル不均衡の存在を、ヘテロ接合性喪失（ＬＯＨ）解析によって検出することを特徴とする、請求項１に記載の方法。
【請求項６】
アレル不均衡の存在を、遺伝子発現プロファイルの作製によって検出することを特徴とする、請求項１に記載の方法。
【請求項７】
遺伝子発現プロファイルが、以下の遺伝子：
FBXL12、PRKACA、MUSK、SIRT6 および PRKCSH
からなる群より選ばれる少なくとも１種の発現データを包含することを特徴とする、請求項６に記載の方法。
【請求項８】
アレル不均衡の存在を、蛍光in situハイブリダイゼーション（ＦＩＳＨ）法を用いて検出することを特徴とする、請求項１に記載の方法。
【請求項９】
アレル不均衡の存在を、レーザー顕微解剖技術を用いて検出することを特徴とする、請求項１に記載の方法。
【請求項１０】
肺癌細胞の染色体領域19p13.3-p13.1および9q32-34.3に存在するアレル不均衡（ＡＩ）を検出するための手段を包含する、肺癌分類用キット。
【請求項１１】
肺癌細胞の以下に示す他の染色体領域：
a)  2p21-p16.3、
b)  16p13.3、
c)  22q12.3-q13.1 および
d)  5q35.3
の少なくとも１種に存在するアレル不均衡（ＡＩ）を検出するための手段を更に包含する、請求項１０に記載の肺癌分類用キット。
【請求項１２】
肺癌の危険度を同定するための方法であって、個体から採取した生物学的サンプルを提供し、そして肺癌細胞の染色体領域19p13.3-p13.1および9q32-34.3に存在するアレル不均衡（ＡＩ）を検出することを包含し、該染色体領域の少なくとも１種に存在するアレル不均衡が、肺癌危険度の上昇の指標となることを特徴とする方法。
【請求項１３】
肺癌細胞の以下に示す他の染色体領域：
a)  2p21-p16.3、
b)  16p13.3、
c)  22q12.3-q13.1 および
d)  5q35.3
の少なくとも１種に存在するアレル不均衡（ＡＩ）を更に検出することを包含し、該領域の少なくとも１種に存在するアレル不均衡は、肺癌危険度の上昇の更なる指標となることを特徴とする、請求項１２に記載の方法。
【請求項１４】
生物学的サンプルが、個体から採取した喀痰サンプル、気管支洗浄液サンプル、気管支肺胞洗浄サンプル、全血サンプル、血漿サンプルまたは血清サンプルであることを特徴とする、請求項１２に記載の方法。
【手続補正書】
【提出日】平成21年12月2日(2009.12.2)
【手続補正１】
【補正対象書類名】特許請求の範囲
【補正対象項目名】全文
【補正方法】変更
【補正の内容】
【特許請求の範囲】
【請求項１】
試験試料中に存在しうるターゲット分子を検出するための方法であって：
（ａ）タグを含み、そしてターゲット分子に対する特異的アフィニティーを有するアプタマーと、試験試料を接触させ、ここで、前記試験試料中に前記ターゲット分子が存在するならば、アプタマー・アフィニティー複合体が形成され；
（ｂ）前記タグがプローブと会合することが可能になるように、前記プローブを含む固体支持体表面を前記アプタマー・アフィニティー複合体と接触させ；
そして
（ｃ）前記アプタマー・アフィニティー複合体を検出および／または定量化する
工程を含む、前記方法。
【請求項２】
工程（ａ）の後でかつ工程（ｃ）の前に、未結合（ｆｒｅｅ）アプタマーをアプタマー・アフィニティー複合体から分配することを含む、請求項１の方法。
【請求項３】
工程（ａ）においてターゲット分子と結合してアプタマー・アフィニティー複合体を形成するアプタマーの量または濃度を測定することによって、工程（ｃ）においてアプタマー・アフィニティー複合体を定量化する、請求項１または２の方法。
【請求項４】
アプタマー・アフィニティー複合体をポリヌクレオチドの定量的複製のための技術を用いて定量化する、請求項１−３のいずれかに記載の方法。
【請求項５】
アプタマー・アフィニティー複合体をＰＣＲまたはＱ−ＰＣＲを行うことによって定量化する、請求項４の方法。
【請求項６】
アプタマー・アフィニティー複合体の形成に続き、試験試料中に存在する未結合のまたは複合体形成していない非ターゲットおよびターゲット分子をアプタマー・アフィニティー複合体から分配する、請求項２−５のいずれかに記載の方法。
【請求項７】
工程（ａ）の後でかつ工程（ｃ）の前に、アプタマー・アフィニティー複合体を試験試料の残りから分配することを含む、請求項１の方法。
【請求項８】
工程（ｃ）において、ターゲット分子を検出することによって、アプタマー・アフィニティー複合体を検出する、請求項７の方法。
【請求項９】
（ｃ）に先立つ任意の時点で、前記アプタマー・アフィニティー複合体と標識剤を接触させ、そして（ｃ）の検出が、前記標識剤を検出することによって、前記表面上の前記ターゲット分子を検出することを含む、請求項１−８のいずれかに記載の方法。
【請求項１０】
前記ターゲット分子を定量化することをさらに含む、請求項１−９のいずれかに記載の方法。
【請求項１１】
（ａ）で形成された前記アプタマー・アフィニティー複合体をアプタマー共有複合体に変換する工程を含む、請求項１−１０のいずれかに記載の方法。
【請求項１２】
試験試料中に存在しうるターゲット分子を検出するための方法であって：
（ａ）ターゲット分子に対する特異的アフィニティーを有するアプタマーと、試験試料を接触させ、ここで、前記試験試料中に前記ターゲット分子が存在するならば、アプタマー・アフィニティー複合体が形成され；
（ｂ）前記試験試料の成分に、動力学的に負荷を与える（ｃｈａｌｌｅｎｇｅ）条件に、前記試験試料を曝露し；
（ｃ）前記試験試料の残りから分配した前記アプタマー・アフィニティー複合体を検出および／または定量化する
工程を含む、前記方法。
【請求項１３】
試験試料中に存在する前記アプタマーといかなる非ターゲット分子との間の非特異的複合体にも、動力学的に負荷を与える（ｃｈａｌｌｅｎｇｅ）条件または処理に、（ａ）の試験試料を曝露することをさらに含む、請求項１−１２の何れかに記載の方法。
【請求項１４】
前記アプタマーに動力学的に負荷を与える前記条件または処理が、少なくとも１つの競合剤分子と前記試験試料を接触させることを含む、請求項１３の方法。
【請求項１５】
（ａ）の前に、前記方法が少なくとも１つの競合剤分子と前記試験試料を接触させる工程を含み、ここで、前記試験試料がターゲット分子、非ターゲット分子、またはターゲット分子と非ターゲット分子の両方を含むならば、少なくとも１つの非特異的複合体が形成される、請求項１−１４のいずれかに記載の方法。
【請求項１６】
前記の少なくとも１つの競合剤分子が、オリゴヌクレオチド、ポリアニオン、無塩基性ホスホジエステルポリマー、ｄＮＴＰ、およびピロリン酸、ヘパリン、ポリデキストランまたは硫酸デキストランから独立に選択される、請求項１５の方法。
【請求項１７】
前記アプタマーに動力学的に負荷を与える前記条件または処理が、前記試験試料を希釈することを含む、請求項１３または１４の方法。
【請求項１８】
前記アプタマーが一本鎖核酸または二本鎖核酸である、請求項１−１７のいずれかに記載の方法。
【請求項１９】
前記ターゲット分子が、タンパク質、炭水化物、多糖、糖タンパク質、ホルモン、受容体、抗原、抗体、ウイルス、基質、代謝物、遷移状態類似体、補因子、阻害剤、薬剤、色素、栄養物、増殖因子、組織、および規制物質からなる群より選択される、請求項１−１８のいずれかに記載の方法。
【請求項２０】
前記試験試料が全血、白血球、末梢血単核細胞、血漿、血清、痰、息、尿、精液、唾液、髄膜液、羊水、腺液、リンパ液、乳頭吸引液、気管支吸引液、滑液、関節吸引液、細胞、細胞抽出物、糞便、組織、組織抽出物、組織生検、および脳脊髄液から選択される、生物学的試料である、請求項１−１９のいずれかに記載の方法。
【請求項２１】
前記プローブが、ポリヌクレオチド、ポリペプチド、ペプチド核酸、ロック核酸、オリゴ糖、多糖、抗体、アフィボディ、抗体模倣体、細胞受容体、リガンド、脂質、および任意のこれらの構造の任意の一部から独立に選択される、少なくとも１つの構成要素を含む、請求項１−１１のいずれかに記載の方法。
【請求項２２】
前記タグが、ポリヌクレオチド、ポリペプチド、ペプチド核酸、ロック核酸、オリゴ糖、多糖、抗体、アフィボディ、抗体模倣体、細胞受容体、リガンド、脂質、および任意のこれらの構造の任意の一部から独立に選択される、少なくとも１つの構成要素を含む、請求項１−１１のいずれかに記載の方法。
【請求項２３】
試験試料中に存在しうる少なくとも１つのターゲット分子を検出するためのキットであって：タグを含み、そしてターゲット分子に対する特異的アフィニティーを有する、少なくとも１つのアプタマー；標識剤；および前記タグと会合可能な少なくとも１つのプローブを含む固体支持体を含む、前記キット。
【手続補正書】
【提出日】平成22年6月23日(2010.6.23)
【手続補正１】
【補正対象書類名】特許請求の範囲
【補正対象項目名】全文
【補正方法】変更
【補正の内容】
【特許請求の範囲】
【請求項１】
口腔粘膜膜組成物であって、
治療的有効量の生物活性ポリペプチドと、
発泡性賦形成分と、
胆汁酸塩と
を有する組成物。
【請求項２】
請求項１記載の組成物において、前記ポリペプチドの分子量は約５００ダルトン〜２００キロダルトンである。
【請求項３】
請求項２記載の組成物において、前記ポリペプチドの分子量は約１０００〜２０，０００ダルトンである。
【請求項４】
請求項１記載の組成において、前記発泡性賦形成分は酸および塩基を有するものである。
【請求項５】
請求項４記載の組成物において、前記発泡性賦形成分はクエン酸および重炭酸ナトリウムを有するものである。
【請求項６】
請求項１記載の組成物において、前記胆汁酸塩はタウロコール酸ナトリウム、グリココール酸ナトリウム、グリコデオキシコール酸ナトリウム、タウロデオキシコール酸ナトリウム、コール酸ナトリウム、タウロケノデオキシコール酸ナトリウム、タウロウルソデオキシコール酸ナトリウム、およびこれらの組合せから成る群から選択されるものである。
【請求項７】
請求項６記載の組成物において、前記胆汁酸塩はタウロコール酸ナトリウムである。
【請求項８】
請求項１記載の組成物において、前記発泡性賦形成分はｐＨ調整剤をさらに有するものである。
【請求項９】
請求項８記載の組成物において、前記ｐＨ調整剤は炭酸塩である。
【請求項１０】
請求項９記載の組成物において、前記ｐＨ調整剤は炭酸ナトリウムである。
【請求項１１】
口腔粘膜組成物であって、
治療的有効量の生物活性ポリペプチドと、
発泡性賦形成分と、
胆汁酸塩と、
崩壊剤と
を有する組成物。
【請求項１２】
請求項１１記載の組成物において、前記崩壊剤はデンプングリコール酸である。
【請求項１３】
請求項１２記載の組成物において、前記デンプングリコール酸はデンプングリコール酸ナトリウムである。
【請求項１４】
請求項１または１１記載の組成物において、前記生物活性ポリペプチドはアミリン、ピンクサーモン由来カルシトニン（ｓ−ＣＴ）、グルカゴン様ペプチド１（ＧＬＰ−１）、グルカゴン、副甲状腺ホルモン（ＰＴＨ）、オキシトシン、およびデスモプレシン（Ｄｒｇバソプレッシン）から成る群から選択されるものである。
【請求項１５】
請求項１または１１記載の組成物において、前記生物活性ポリペプチドはインスリン、ペプチドＹＹ（ＰＹＹ）、ＩＦＮ−α、ＩＦＮ−β、およびＩＦＮ−γから成る群から選択されるものである。
【請求項１６】
治療的有効量の生物活性ポリペプチド、胆汁酸塩、および発泡性賦形成分を含む医薬組成物であって、当該医薬組成物は、生物活性ポリペプチドを受容者に投与した場合、前記生物活性ポリペプチドの経粘膜吸収を促進するものである、医薬組成物。
【請求項１７】
請求項１６記載の医薬組成物において、前記ポリペプチドは約１０００ダルトン〜約２０，０００ダルトンの分子量を有するものである。
【請求項１８】
請求項１６記載の医薬組成物において、前記生物活性ポリペプチドはインスリン、タンパク質ＹＹ（ＰＹＹ）、ＩＦＮ−α、ＩＦＮ−β、およびＩＦＮ−γから成る群から選択されるものである。
【請求項１９】
請求項１６記載の医薬組成物において、前記胆汁酸塩はタウロコール酸ナトリウム、グリココール酸ナトリウム、グリコデオキシコール酸ナトリウム、タウロデオキシコール酸ナトリウム、コール酸ナトリウム、タウロケノデオキシコール酸ナトリウム、タウロウルソデオキシコール酸ナトリウム、およびこれらの組合せから成る群から選択されるものである。
【請求項２０】
請求項１９記載の医薬組成物において、前記胆汁酸塩はタウロコール酸ナトリウムである。
【請求項２１】
請求項１６記載の医薬組成物において、前記発泡性賦形成分は酸および塩基を有するものである。
【請求項２２】
請求項２１記載の医薬組成物において、前記発泡性賦形成分はクエン酸および炭酸ナトリウムを有するものである。
【請求項２３】
請求項１６記載の医薬組成物において、前記発泡性賦形成分はｐＨ調整剤をさらに有するものである。
【請求項２４】
請求項２３記載の医薬組成物において、前記ｐＨ調整剤は重炭酸塩である。
【請求項２５】
請求項１６記載の医薬組成物において、前記医薬組成物は崩壊剤をさらに有するものである。
【請求項２６】
請求項２５記載の医薬組成物において、前記崩壊剤はデンプングリコール酸である。
【請求項２７】
請求項２６記載の医薬組成物において、前記崩壊剤はデンプングリコール酸ナトリウムである。
【請求項２８】
生物活性ポリペプチド、胆汁酸塩、および発泡性賦形成分を含む医薬組成物であって、当該医薬組成物は、受容者の口腔内において前記医薬組成物を当該組成物の溶解および当該生物活性ポリペプチドの経粘膜送達に十分な時間だけ粘膜組織に接触させることにより、前記生物活性ポリペプチドが前記受容者に投与されるものである、医薬組成物。
【請求項２９】
請求項２８記載の医薬組成物において、前記生物活性ポリペプチドは、インスリン、ペプチドＹＹ（ＰＹＹ）、ＩＦＮ−α、ＩＦＮ−β、およびＩＦＮ−γから成る群から選択されるものである。
【請求項３０】
ａ）生物活性ポリペプチドと、
ｂ）発泡性賦形成分と、
ｃ）胆汁酸塩と
を含む、経粘膜吸収固形経口製剤。
【請求項３１】
請求項３０記載の製剤において、前記発泡性賦形成分はｐＨ調整剤をさらに有するものである。
【請求項３２】
請求項３０記載の製剤において、前記ポリペプチドはインスリンである。
【請求項３３】
治療的有効量のインスリン、発泡性賦形成分、および胆汁酸塩を含む、糖尿病を治療するための口腔粘膜組成物。
【手続補正書】
【提出日】平成22年6月23日(2010.6.23)
【手続補正１】
【補正対象書類名】明細書
【補正対象項目名】００５２
【補正方法】変更
【補正の内容】
【００５２】
外部繊維層21及び22の細かく裁断された繊維部分7は、中心層3の細かく裁断された繊維部分3aの融点以下の融点を有する熱可塑性材料中に少なくとも第1の細かく裁断された化学繊維部分70を有する。図1で表された状態では、繊維アーマチャ1は、輸送可能となるようなしっかりとした接合すなわち接続を有していない。
【手続補正２】
【補正対象書類名】明細書
【補正対象項目名】００７７
【補正方法】変更
【補正の内容】
【００７７】
当該方法は：
a)  第1種の合成材料の細かく裁断された繊維部分3aに基づいて中心層3を供する工程であって、前記細かく裁断された繊維部分3aは、層を形成する前に、前記前記細かく裁断された繊維部分3aと接続する永続的圧着処理を受けた、工程；
b)  前記中心層の対向する面上に外部層21と22を設ける工程であって、前記外部層21と22は細かく裁断された補強用繊維部分4及び永続的に圧着された細かく裁断された化学繊維部分7を有し、該細かく裁断された化学繊維部分7は少なくとも第1の細かく裁断された化学繊維部分70を有し、前記第1の細かく裁断された化学繊維部分70は第2種の熱可塑性合成材料の表面層7bを少なくとも1層有し、前記第2種の熱可塑性合成材料の融点は前記第1種の合成材料の融点以下である、工程；
c)  各外部層21と22の前記細かく裁断された化学繊維部分7-特に前記第1の細かく裁断された化学繊維部分70-が前記中心層3の長さ全体にわたって入り込むように予備的な針による穴開け（図2）を実行する工程；並びに、
d)  前記繊維アーマチャ1を加熱（図3）して、少なくとも表面上を軟化させ、かつ前記第1の細かく裁断された化学繊維部分70を接合させる、工程；
を有する。
【手続補正３】
【補正対象書類名】明細書
【補正対象項目名】００７９
【補正方法】変更
【補正の内容】
【００７９】
外部層21と22の細かく裁断された化学繊維部分7-特に前記第1の細かく裁断された化学繊維部分70-は有利となるように、細かく裁断された補強用繊維部分4の直径よりも短い直径を有して良い。続いて工程c)の予備的な針による穴開けが針8によって実行される（図2）。その針8はかかり8aを有し、そのかかり8aは、細かく裁断された化学繊維部分7-前記第1の細かく裁断された化学繊維部分70を含む-を選択的に同伴して、前記細かく裁断された化学繊維部分7よりも直径の長い細かく裁断された補強用繊維部分4をほとんど同伴しないように備えられている。
【手続補正４】
【補正対象書類名】明細書
【補正対象項目名】００８１
【補正方法】変更
【補正の内容】
【００８１】
図1-3の実施例による繊維アーマチャ1を製造するため、細かく裁断された化学繊維部分7と細かく裁断された補強用繊維部分4の均一な混合物が、工程b)の間にカッターによって得られ、かつ中心層3の2面上へ重力によって堆積される。
【手続補正書】
【提出日】平成22年8月11日(2010.8.11)
【手続補正１】
【補正対象書類名】明細書
【補正対象項目名】０００１
【補正方法】変更
【補正の内容】
【０００１】
本発明は、１次側部分を備えたリニアモータであって、１次側部分に対してリニアモータの２次側部分が予め定められた方向に相対的に移動するリニアモータに関する。１次側部分は、歯間にスロットが形成されている歯を備えた多数の積層鉄心を含んでいる。スロットはコイルを納めるのに役立つ。
このようなリニアモータは  特許文献１〜３により公知である。
【手続補正２】
【補正対象書類名】明細書
【補正対象項目名】０００３
【補正方法】変更
【補正の内容】
【０００３】
従来の方法では、各積層鉄心に、他の積層鉄心と作用的に直接関与しない専用のコイルが付設されている。コイルは、一般に歯の周囲に巻回されている。これは、一方のコイル部分が積層鉄心の第１のスロット内に配置されており、他方のコイル部分が積層鉄心の第２のスロット内に、即ち歯の他側のスロット内に配置されていることを意味する。真直ぐ延びたスロットの端部範囲では、各スロット内に配置されているコイル部分の接続が、スロット外の空中に配置されたコイル部分を介して行なわれる。空中に配置されたこれらのコイル部分はコイル端とも呼ばれる。コイル端はコイルの動作様式には何ら寄与せず、むしろ出力損失の原因である。リニアモータでは、より多くの積層鉄心が配置されているほど、異なる積層鉄心のコイル端が相互に邪魔し合って窮屈になる。
特許文献１は、多数の環状コイルと歯およびスロットを有する積層鉄心とを含む固定子と、多数の永久磁石を含む回転子とを備えたシリンダ形のリニアモークを示す。コイルは、第１の部分を第１の積層鉄心のスロット内に配置されていて、かつ第２の部分を第２の積層鉄心のスロット内に配置されている。磁石が回転子上に中間部材によって固定されている。永久磁石を有する回転子が固定子によって次のように取り囲まれている。すなわち、コイルおよび積層鉄心が永久磁石に対して直ぐ近くにあるように取り囲まれている。個々のコイルはそれぞれ専用の巻線支持体上に巻回されている。
特許文献２は、多数の環状コイルと歯およびスロットを有する積層鉄心とを含む外側の固定子と、長い内部の静止コアと、固定子と静止コアとの間に移動可能に配置された管とを備えた同軸リニアモータを開示している。外側の固定子において、コイルは、第１の部分を第１の積層鉄心のスロット内に、第２の部分を第２の積層鉄心のスロット内に配置されている。個々のコイルのそれぞれは、互いに分離されて巻線支持体なしに巻回されているので、コイルは積層鉄心に対して直接の接触を有する。
特許文献３は、コイルが巻回されているリニアモータ用の巻型を開示している。コイルは、コイル部分を２つの隔離壁の間に配置されていて、２つのコイル部分の間ごとにコイルのない部分が形成されている。
【特許文献１】：    特開平１１−  ３３２２１１号公報
【特許文献２】：    米国特許第３６０２７４５号明細書
【特許文献３】：    特開昭５７−  １０１５５７号公報